(57)【要約】【課題】たとえデッキ構造が家屋に近接して配置されていても、家屋の基礎を蟻返しまで這い上がってきたシロアリが基礎からデッキ構造に移動し、デッキ構造を這い上がり、デッキ構造から家屋に侵入することが抑制される、デッキ構造を備えた家屋の防蟻構造を提供する。【解決手段】地面Ｇに形成された基礎Ｋの上に配置された上下方向に延びる支持脚１１１と、支持脚１１１の上に載置されたデッキ材２とを有するデッキ構造１を屋外に備えた家屋Ｈの防蟻構造であって、デッキ構造１と対向する家屋Ｈの基礎Ｃのデッキ構造１側の面に、デッキ構造１側へ張り出す蟻返し１１が水平方向に連続して設けられ、蟻返し１１のデッキ構造１側の端部と、これと対向する上記支持脚１１１とが、水平方向に蟻道の形成が抑制される距離だけ隔てられている。上記距離は２０ｍｍ以上の距離である。【選択図】図４
2015094096.tif 000002
【特許請求の範囲】
【請求項１】
地盤の上に配置された上下方向に延びる支持脚と、支持脚の上に載置されたデッキ材とを有するデッキ構造を屋外に備えた家屋の防蟻構造であって、
上記デッキ構造と対向する家屋の基礎のデッキ構造側の面に、デッキ構造側へ張り出す蟻返しが水平方向に連続して設けられ、
上記蟻返しのデッキ構造側の端部と、これと対向する上記支持脚とが、水平方向に蟻道の形成が抑制される距離だけ隔てられていることを特徴とするデッキ構造を備えた家屋の防蟻構造。
【請求項２】
請求項１に記載のデッキ構造を備えた家屋の防蟻構造において、
上記距離は２０ｍｍ以上の距離であることを特徴とするデッキ構造を備えた家屋の防蟻構造。
【請求項３】
地盤の上に配置された上下方向に延びる支持脚と、支持脚の上に載置されたデッキ材とを有するデッキ構造を屋外に備えた家屋の防蟻構造であって、
上記デッキ構造と対向する家屋の基礎のデッキ構造側の面に、デッキ構造側へ張り出す蟻返しが水平方向に連続して設けられ、
上記蟻返しと対向する上記支持脚は、上記基礎に沿って水平方向に不連続に複数配置され、各支持脚の外表面に、外方へ張り出す蟻返しが水平方向に環状に連続して設けられ、
上記基礎側の蟻返しの支持脚側の端部と、上記支持脚側の蟻返しの基礎側の端部とが、相互に連続していることを特徴とするデッキ構造を備えた家屋の防蟻構造。
【請求項４】
地盤の上に配置された上下方向に延びる支持脚と、支持脚の上に載置されたデッキ材とを有するデッキ構造を屋外に備えた家屋の防蟻構造であって、
上記デッキ構造と対向する家屋の基礎のデッキ構造側の面に、デッキ構造側へ張り出す蟻返しが水平方向に連続して設けられ、
上記蟻返しと対向する上記デッキ材は、上記基礎に沿って水平方向に延びるフレーム部を有し、
上記蟻返しのデッキ材側の端部が、上記フレーム部の基礎側の面に連続していることを特徴とするデッキ構造を備えた家屋の防蟻構造。
【請求項５】
地盤の上に配置された支持脚と、支持脚の上に載置されたデッキ材とを有するデッキ構造を屋外に備えた家屋の防蟻構造であって、
上記デッキ構造が施工された屋外の地盤の上に、防蟻薬剤が付与され、透水性を有する防蟻シートが敷設されるとともに、上記防蟻シートの端部が家屋の基礎のデッキ構造側の面に当接していることを特徴とするデッキ構造を備えた家屋の防蟻構造。
【発明の詳細な説明】
【技術分野】
【０００１】
本発明は、デッキ構造を備えた家屋の防蟻構造に関する。
【背景技術】
【０００２】
家屋に隣接して屋外に施工されるデッキ構造は、例えば特許文献１に開示されるように、地盤（本発明で「地盤」とは、デッキ構造が施工される土地側の部分を意味し、例えば、地面、地表面、土壌面、施工面、コンクリート下地面、コンクリートブロック面や、基礎等を含む。）の上に配置された上下方向に延びる複数の支持脚の上にデッキ材が載置された構造である。このようなデッキ構造は、例えば、ガーデンデッキや、濡れ縁や、勝手口ステップ等に利用される。そのため、デッキ構造は、屋内からサッシやドアを開けて屋外へ出たところに配置される。つまり家屋に近接して配置される。
【先行技術文献】
【特許文献】
【０００３】
【特許文献１】特開２００４−１００２５６号公報
【発明の概要】
【発明が解決しようとする課題】
【０００４】
デッキ構造が家屋に近接することで、次のような問題が生じる可能性がある。すなわち、シロアリは地下から家屋に侵入することが多い。そのため、シロアリが家屋の基礎を這い上がってくるのを防ぐ目的で、基礎の外面に外方へ張り出す蟻返しが水平方向に連続して設けられることがある。その場合に、デッキ構造が家屋に近接していると、蟻返しまで這い上がってきたシロアリが蟻返しとデッキ構造との間に蟻道をつくり、基礎からデッキ構造に移動する可能性がある。デッキ構造に移動したシロアリはデッキ構造を這い上がってデッキ構造の上部に至り、デッキ構造から家屋に侵入する。
【０００５】
そこで、本発明は、たとえデッキ構造が家屋に近接して配置されていても、家屋の基礎を蟻返しまで這い上がってきたシロアリが基礎からデッキ構造に移動し、デッキ構造を這い上がり、デッキ構造から家屋に侵入することが抑制される、デッキ構造を備えた家屋の防蟻構造の提供を目的とする。
【課題を解決するための手段】
【０００６】
上記課題を解決するためのものとして、本発明は、地盤の上に配置された上下方向に延びる支持脚と、支持脚の上に載置されたデッキ材とを有するデッキ構造を屋外に備えた家屋の防蟻構造であって、上記デッキ構造と対向する家屋の基礎のデッキ構造側の面に、デッキ構造側へ張り出す蟻返しが水平方向に連続して設けられ、上記蟻返しのデッキ構造側の端部と、これと対向する上記支持脚とが、水平方向に蟻道の形成が抑制される距離だけ隔てられていることを特徴とするデッキ構造を備えた家屋の防蟻構造である（請求項１）。
【０００７】
本発明によれば、デッキ構造を屋外に備えた家屋の基礎のデッキ構造側の面に蟻返しが設けられ、その蟻返しのデッキ構造側の端部と、これと対向する上記支持脚とが、水平方向に蟻道の形成が抑制される距離だけ隔てられている。そのため、上記基礎を蟻返しまで這い上がってきたシロアリが蟻返しと支持脚との間に蟻道をつくって基礎からデッキ構造に移動することが困難となる。その結果、たとえデッキ構造が家屋に近接して配置されていても、家屋の基礎を蟻返しまで這い上がってきたシロアリが基礎からデッキ構造に移動し、デッキ構造を這い上がり、デッキ構造から家屋に侵入することが抑制される。
【０００８】
本発明においては、上記距離は２０ｍｍ以上の距離であることが好ましい（請求項２）。
【０００９】
この構成によれば、蟻返しのデッキ構造側の端部は支持脚から水平方向に２０ｍｍ以上離れているので、蟻返しと支持脚との間の蟻道の形成が確実に抑制される。
【００１０】
また、上記課題を解決するためのものとして、本発明は、地盤の上に配置された上下方向に延びる支持脚と、支持脚の上に載置されたデッキ材とを有するデッキ構造を屋外に備えた家屋の防蟻構造であって、上記デッキ構造と対向する家屋の基礎のデッキ構造側の面に、デッキ構造側へ張り出す蟻返しが水平方向に連続して設けられ、上記蟻返しと対向する上記支持脚は、上記基礎に沿って水平方向に不連続に複数配置され、各支持脚の外表面に、外方へ張り出す蟻返しが水平方向に環状に連続して設けられ、上記基礎側の蟻返しの支持脚側の端部と、上記支持脚側の蟻返しの基礎側の端部とが、相互に連続していることを特徴とするデッキ構造を備えた家屋の防蟻構造である（請求項３）。
【００１１】
本発明によれば、デッキ構造を屋外に備えた家屋の基礎のデッキ構造側の面に蟻返しが設けられ、その蟻返しと対向する支持脚の外表面に蟻返しが水平方向に環状に連続して設けられ、上記基礎側の蟻返しの支持脚側の端部と、上記支持脚側の蟻返しの基礎側の端部とが、相互に連続している。そのため、家屋の基礎を蟻返しまで這い上がってきたシロアリは、基礎側の蟻返し及び支持脚側の蟻返しを伝って基礎からデッキ構造に移動することができるけれども、移動先の支持脚にも環状の蟻返しが水平方向に隙間なく設けられているので、シロアリがこれを突破してデッキ構造を這い上がることが困難となる。その結果、本発明によっても、たとえデッキ構造が家屋に近接して配置されていても、家屋の基礎を蟻返しまで這い上がってきたシロアリが基礎からデッキ構造に移動し、デッキ構造を這い上がり、デッキ構造から家屋に侵入することが抑制される。
【００１２】
また、上記課題を解決するためのものとして、本発明は、地盤の上に配置された上下方向に延びる支持脚と、支持脚の上に載置されたデッキ材とを有するデッキ構造を屋外に備えた家屋の防蟻構造であって、上記デッキ構造と対向する家屋の基礎のデッキ構造側の面に、デッキ構造側へ張り出す蟻返しが水平方向に連続して設けられ、上記蟻返しと対向する上記デッキ材は、上記基礎に沿って水平方向に延びるフレーム部を有し、上記蟻返しのデッキ材側の端部が、上記フレーム部の基礎側の面に連続していることを特徴とするデッキ構造を備えた家屋の防蟻構造である（請求項４）。
【００１３】
本発明によれば、デッキ構造を屋外に備えた家屋の基礎のデッキ構造側の面に蟻返しが設けられ、その蟻返しと対向するデッキ材が基礎に沿って水平方向に延びるフレーム部を有し、上記蟻返しのデッキ材側の端部が、上記フレーム部の基礎側の面に連続している。そのため、上記基礎を蟻返しまで這い上がってきたシロアリは、その蟻返しを伝って基礎からデッキ構造に移動することができるけれども、移動先のデッキ材のフレーム部は水平方向に延び、上記フレーム部の基礎側の面には上記基礎から延設された蟻返しが水平方向に隙間なく存在しているので、シロアリがこれを突破してデッキ構造を這い上がることが困難となる。その結果、本発明によっても、たとえデッキ構造が家屋に近接して配置されていても、家屋の基礎を蟻返しまで這い上がってきたシロアリが基礎からデッキ構造に移動し、デッキ構造を這い上がり、デッキ構造から家屋に侵入することが抑制される。
【００１４】
また、上記課題を解決するためのものとして、本発明は、地盤の上に配置された支持脚と、支持脚の上に載置されたデッキ材とを有するデッキ構造を屋外に備えた家屋の防蟻構造であって、上記デッキ構造が施工された屋外の地盤の上に、防蟻薬剤が付与され、透水性を有する防蟻シートが敷設されるとともに、上記防蟻シートの端部が家屋の基礎のデッキ構造側の面に当接していることを特徴とするデッキ構造を備えた家屋の防蟻構造家屋の防蟻構造である（請求項５）。
【００１５】
本発明によれば、シロアリが地下から地上に出てきて支持脚や家屋の基礎のデッキ構造側の面、すなわち外面を這い上がるのを防ぐ防蟻構造がデッキ下に構築される。そのため、そもそもシロアリは、家屋の基礎を這い上がることが困難となる。その結果、本発明によっても、たとえデッキ構造が家屋に近接して配置されていても、家屋の基礎を這い上がってきたシロアリが基礎からデッキ構造に移動し、デッキ構造を這い上がり、デッキ構造から家屋に侵入することが抑制される。加えて、本発明によれば、たとえデッキ構造が家屋に近接して配置されていても、家屋の基礎を這い上がってきたシロアリがそのまま家屋に浸入することも抑制される。
【発明の効果】
【００１６】
本発明は、家屋の基礎を蟻返しまで這い上がってきたシロアリが基礎からデッキ構造に移動し、デッキ構造を這い上がり、デッキ構造から家屋に侵入することが抑制される、デッキ構造を備えた家屋の防蟻構造を提供するから、デッキ構造が近接して配置された家屋の防蟻構造の技術の発展及び向上に寄与する。
【図面の簡単な説明】
【００１７】
【図１】本発明の第１の実施形態に係るデッキ構造の側面図である。
【図２】上記デッキ構造に用いられる支持脚の斜視図である。
【図３】上記支持脚の上にデッキ材の支持枠が形成された状態を示す斜視図である。
【図４】図１の部分拡大縦断面図であって、第１の実施形態に係る家屋の防蟻構造を示すものである。
【図５】図３に類似のデッキ構造の斜視図であって、第１の実施形態に係る家屋の防蟻構造を示すものである。
【図６】図４に準じ、図１の部分拡大縦断面図であって、第２の実施形態に係る家屋の防蟻構造を示すものである。
【図７】図５に準じ、図３に類似のデッキ構造の斜視図であって、第２の実施形態に係る家屋の防蟻構造を示すものである。
【図８】図４に準じ、図１の部分拡大縦断面図であって、第３の実施形態に係る家屋の防蟻構造を示すものである。
【図９】図５に準じ、図３に類似のデッキ構造の斜視図であって、第３の実施形態に係る家屋の防蟻構造を示すものである。
【図１０】図４に準じ、図１の部分拡大縦断面図であって、本発明のさらに他の実施形態に係る家屋の防蟻構造を示すものである。
【発明を実施するための形態】
【００１８】
＜第１の実施形態＞
（１）デッキ構造
図１は本発明の第１の実施形態に係るデッキ構造１の側面図である。このデッキ構造１は家屋Ｈに隣接して屋外に施工されている。本実施形態では、家屋Ｈは戸建て住宅、デッキ構造１はガーデンデッキである。デッキ構造１は家屋Ｈの屋内のフロアリングＦから掃き出しサッシＷを開けて屋外へ出たところに配置されている。そのため、デッキ構造１は家屋Ｈに近接している。
【００１９】
デッキ構造１は、地面Ｇの上に基礎Ｋ（図４参照）を介して配置された複数（図例では４×４の１６個：図３参照）の支持脚１１１と、支持脚１１１の上に載置されたデッキ材２とを含んで構成されている。
【００２０】
図２に示すように、支持脚１１１は、基部１１１ａと支柱部１１１ｂとを有する。基部１１１ａは、地面Ｇ（図１参照）に形成された基礎Ｋ（図４参照）に接着剤やボルト等によって固定されている。支柱部１１１ｂは、上下方向に延びる四角柱状であり、基部１１１ａの上面に立設されてデッキ材２を下方から支持する。支柱部１１１ｂは、基部１１１ａに対して螺合しており、軸心回りに回転することにより高さ調節が可能に構成されている。
【００２１】
図１に戻り、デッキ材２は、支持枠１２１とフロアパネル１３１とを含んで構成されている。図３に示すように、支持枠１２１は、複数の縦フレーム１２１ａと複数の横フレーム１２１ｂとで格子状に構成されている。支持枠１２１は、複数の平面視で四角形状の区画領域Ｒを有する。フロアパネル１３１は、支持枠１２１の区画領域Ｒを埋めるように嵌入される複数のフロアユニット１３１ａで構成されている。
【００２２】
なお、図１は図３の矢印Ａからの側面図である。
【００２３】
（２）家屋の防蟻構造
図４は、図１の部分拡大縦断面図であって、第１の実施形態に係る家屋Ｈの防蟻構造を示すものである。図４に示される縦フレーム１２１ａは、複数の縦フレーム１２１ａのうち家屋Ｈに最も近接する縦フレーム１２１ａであり、図４に示される支持脚１１１は、複数の支持脚１１１のうち上記縦フレーム１２１ａを支持する家屋Ｈに最も近接する支持脚１１１である（図６及び図８において同じ）。
【００２４】
シロアリは地下から家屋Ｈに侵入することが多い。そのため、本実施形態に係る家屋Ｈにおいては、図示は省略するが、床下の土壌面Ｇ’に、防蟻薬剤を含有し、耐久性及び防湿性を有する樹脂製のシート（防蟻シート）を敷いて、シロアリが地下から地上に出てくるのを防ぐ対策が講じられている。また、家屋Ｈの基礎Ｃと土台Ｂとの間に、防蟻薬剤を含有し、透明性及び粘着性を有する樹脂製のテープ（防蟻テープ）を挟むといった対策も講じられている。
【００２５】
さらに、デッキ構造１が施工された屋外の地面Ｇには、次のような防蟻構造が構築されている。すなわち、上記地面Ｇに、防蟻薬剤を含有し又は防蟻薬剤が塗布された、耐候性、耐久性及び透水性を有する防蟻シートＳを敷設し、この防蟻シートＳの上に砂利Ｊを敷く。また、上記防蟻シートＳの上（あるいは防蟻シートＳに形成した開口の中）に支持脚１１１の基礎Ｋを形成し、この基礎Ｋに接着剤やボルト等によってデッキ構造１の支持脚１１１（詳しくはその基部１１１ａ）を固定する。
【００２６】
防蟻シートＳの端部は、シロアリが家屋Ｈの基礎Ｃのデッキ構造１側の面、つまり外面を這い上がるのをより一層未然に防止するために、防蟻シートＳと基礎Ｃとの間に隙間ができないように、家屋Ｈの基礎Ｃの外面にまで延びて基礎Ｃに当接している。
【００２７】
防蟻シートＳの素材としては、例えば、耐候性、耐久性及び透水性を有するものであれば、特に限定されない。防蟻シートＳは、例えば、シロアリに食害されない不織布やステンレス等の金属メッシュ板等で作製されてもよい。金属メッシュ板は、シロアリが通り抜けることができない大きさの開口を備えることがより好ましい。
【００２８】
このように、防蟻薬剤が付与され、透水性を有する防蟻シートを、デッキ構造が施工された屋外の地盤の上に敷設することにより、シロアリが地下から地上に出てきて支持脚１１１や家屋Ｈの基礎Ｃの外面を這い上がるのを防ぐ防蟻構造がデッキ下に構築されている。そのため、そもそもシロアリは、家屋Ｈの基礎Ｃを這い上がることが困難となる。その結果、たとえデッキ構造１が家屋Ｈに近接して配置されていても、家屋Ｈの基礎Ｃを這い上がってきたシロアリが基礎Ｃからデッキ構造１に移動し、デッキ構造１を這い上がり、デッキ構造１から家屋Ｈに侵入することが抑制される。加えて、たとえデッキ構造１が家屋Ｈに近接して配置されていても、家屋Ｈの基礎Ｃを這い上がってきたシロアリがそのまま家屋Ｈに浸入することも抑制される。
【００２９】
なお、家屋Ｈの基礎Ｃの上面及び外面はモルタルＭで化粧仕上げされている。
【００３０】
以上の防蟻構造に加えて、本実施形態に係る家屋Ｈにおいては、さらに次のような防蟻構造が採用されている。
【００３１】
デッキ構造１と対向する家屋Ｈの基礎Ｃのデッキ構造１側の面、つまり外面に、デッキ構造１側へ張り出す蟻返し１１が設けられている。この蟻返し１１は、図５に示すように、家屋Ｈの基礎Ｃの外面に水平方向に連続して設けられている。なお、図５では、家屋Ｈの基礎Ｃは透視されている。
【００３２】
蟻返し１１は、断面形状がＬ字状であり、アルミニウム製である。蟻返し１１は、断面Ｌ字の短辺を介してビス１２により基礎Ｃの外面のモルタルＭ層に固定されている。その場合、防蟻薬剤を含有するコーキング材１３が蟻返し１１と基礎Ｃとの間に介装されている。
【００３３】
蟻返し１１は、地面Ｇからおよそ１５０ｍｍの高さに配置され、断面Ｌ字の長辺がデッキ構造１側、具体的に、デッキ構造１の家屋Ｈに最も近接する４つの支持脚１１１の四角柱状の支柱部１１１ｂに向けて延びている。なお、本実施形態では、蟻返し１１のデッキ構造１側の端部（Ｌ字の長辺の先端）が下方に曲折されているが、曲折されていなくてもよい。
【００３４】
支持脚１１１の支柱部１１１ｂの基礎Ｃ側の面と、基礎Ｃの外面、より詳しくは、モルタルＭ層の表面との間の距離はおよそ６０ｍｍである。つまり、デッキ構造１は家屋Ｈに近接して配置されている。そして、蟻返し１１は、基礎Ｃの外面から上記支柱部１１１ｂに向けておよそ４０ｍｍ延びている。その結果、蟻返し１１のデッキ構造１側の端部と、これと対向する支柱部１１１ｂの基礎Ｃ側の面との間に、およそ２０ｍｍの水平方向の間隔Ｄが形成されている。換言すれば、蟻返し１１のデッキ構造１側の端部と、支柱部１１１ｂの基礎Ｃ側の面とは、水平方向におよそ２０ｍｍの距離だけ隔てられている。
【００３５】
なお、図５に示すように、蟻返し１１は、デッキ構造１の施工範囲と略同じ範囲で水平方向に延びている。そして、蟻返し１１が家屋Ｈに最も近接する４つの支持脚１１１の側方を通過する４箇所でそれぞれ上記間隔（およそ２０ｍｍの水平方向の間隔）Ｄが確保されている。
【００３６】
（３）作用
以上説明したように、第１の実施形態では、地面Ｇの上に基礎Ｋを介して配置された上下方向に延びる支持脚１１１と、支持脚１１１の上に載置されたデッキ材２とを有するデッキ構造１を屋外に備えた家屋Ｈの防蟻構造において、次のような特徴的構成が採用されている。
【００３７】
上記デッキ構造１と対向する家屋Ｈの基礎Ｃのデッキ構造１側の面、つまり外面に、デッキ構造１側へ張り出す蟻返し１１が水平方向に連続して設けられている。
【００３８】
これにより、蟻返し１１が基礎Ｃの外面に水平方向に隙間なく存在するので、基礎Ｃを蟻返し１１まで這い上がってきたシロアリがこの蟻返し１１を突破して基礎Ｃをさらに這い上がり、家屋Ｈに侵入することが抑制される。
【００３９】
加えて、上記蟻返し１１のデッキ構造１側の端部と、これと対向する上記支持脚１１１とが、水平方向におよそ２０ｍｍの距離だけ隔てられている。換言すれば、上記蟻返し１１のデッキ構造１側の端部と、上記支持脚１１１との間に、およそ２０ｍｍの水平方向の間隔Ｄが形成されている。
【００４０】
シロアリは水平方向におよそ２０ｍｍ以上の間隔があると蟻道をつくることが困難になる。したがって、上記構成によれば、蟻返し１１のデッキ構造１側の端部と、これと対向する上記支持脚１１１とが、水平方向に蟻道の形成が抑制される距離だけ隔てられている。そのため、図４に矢印で示したように、家屋Ｈの基礎Ｃを蟻返し１１まで這い上がってきたシロアリが蟻返し１１と支持脚１１１との間に蟻道をつくって基礎Ｃからデッキ構造１に移動することが困難となる。その結果、たとえデッキ構造１が家屋Ｈに近接して配置されていても、家屋Ｈの基礎Ｃを蟻返し１１まで這い上がってきたシロアリが基礎Ｃからデッキ構造１に移動し、デッキ構造１を這い上がり、デッキ構造１から家屋Ｈに侵入することが抑制される。
【００４１】
要すれば、家屋Ｈの基礎Ｃを蟻返し１１まで這い上がってきたシロアリは、そのまま基礎Ｃを這い上がって家屋Ｈに侵入することも、またデッキ構造１に移ってデッキ構造１から家屋Ｈに侵入することも、双方とも困難となる。
【００４２】
＜第２の実施形態＞
次に、本発明の第２の実施形態を説明する。ただし、第１の実施形態と同様又は類似する部分は説明を省略し、第１の実施形態と異なる部分のみ説明する。また、第１の実施形態と同様又は類似する構成要素には同じ符号を用いる。
【００４３】
この第２の実施形態では、家屋Ｈの防蟻構造が第１の実施形態と一部異なっている。すなわち、図６に示すように、デッキ構造１と対向する家屋Ｈの基礎Ｃのデッキ構造１側の面、つまり外面に、デッキ構造１側へ張り出す蟻返し２１が設けられている。この蟻返し２１は、図７に示すように、家屋Ｈの基礎Ｃの外面に水平方向に連続して設けられている。なお、図７では、家屋Ｈの基礎Ｃは透視されている。
【００４４】
蟻返し２１は、断面形状がＬ字状であり、アルミニウム製である。蟻返し２１は、断面Ｌ字の短辺を介してビス２２により基礎Ｃの外面のモルタルＭ層に固定されている。その場合、防蟻薬剤を含有するコーキング材２３が蟻返し２１と基礎Ｃとの間に介装されている。
【００４５】
蟻返し２１は、地面Ｇから所定の高さに配置され、断面Ｌ字の長辺がデッキ構造１側、具体的に、デッキ構造１の家屋Ｈに最も近接する４つの支持脚１１１の四角柱状の支柱部１１１ｂに向けて延びている。なお、本実施形態では、蟻返し１１のデッキ構造１側の端部（Ｌ字の長辺の先端）が下方に曲折されていないが、曲折されていてもよい。
【００４６】
支持脚１１１の支柱部１１１ｂの基礎Ｃ側の面と、基礎Ｃの外面、より詳しくは、モルタルＭ層の表面との間の距離はおよそ６０ｍｍである。つまり、デッキ構造１は家屋Ｈに近接して配置されている。そして、蟻返し２１は、基礎Ｃの外面から上記支柱部１１１ｂに向けておよそ４０ｍｍ延びている。
【００４７】
一方、上記蟻返し２１と対向するデッキ構造１側の部分は、家屋Ｈに最も近接する４つの支持脚１１１である。４つの支持脚１１１は基礎Ｃに沿って水平方向に不連続に配置されている。そして、各支持脚１１１の外表面、より詳しくは、支柱部１１１ｂの外表面に、外方へ張り出す蟻返し１２２が水平方向に環状に（すなわち無端状に）連続して設けられている。
【００４８】
この支持脚１１１側の蟻返し１２２は、外方へ張り出す本体部１２２ａと、支柱部１１１ｂの外表面に巻き付く筒部１２２ｂとを含む。本体部１２２ａは、支持脚１１１の支柱部１１１ｂが四角柱状であることから、平面視で４つの長方形状の片がロ字状に組み合わされた形状である。この支持脚１１１側の蟻返し１２２は、防蟻薬剤を含有し、耐久性及び保形性を有する樹脂製のシート（防蟻シート）で作成されている。蟻返し１２２（詳しくはその本体部１２２ａ）は、支柱部１１１ｂの外表面から外方へおよそ２０ｍｍ延びている。その結果、符号Ｘで示すように、上記基礎Ｃ側の蟻返し２１の支持脚１１１側の端部と、上記支持脚１１１側の蟻返し１２２の基礎Ｃ側の端部とが、相互に突き合わされて接続されている。そのため、両蟻返し２１，１２２の上記端部同士は相互に連続している。
【００４９】
なお、図７に示すように、基礎Ｃ側の蟻返し２１は、デッキ構造１の施工範囲と略同じ範囲で水平方向に延びている。そして、基礎Ｃ側の蟻返し２１が家屋Ｈに最も近接する４つの支持脚１１１の側方を通過する４箇所でそれぞれ上記接続（基礎Ｃ側の蟻返し２１の支持脚１１１側の端部と支持脚１１１側の蟻返し１２２の基礎Ｃ側の端部との接続）Ｘが確保されている。
【００５０】
第２の実施形態の作用は次のようである。
【００５１】
上記デッキ構造１と対向する家屋Ｈの基礎Ｃのデッキ構造１側の面、つまり外面に、デッキ構造１側へ張り出す蟻返し２１が水平方向に連続して設けられている。
【００５２】
これにより、蟻返し２１が基礎Ｃの外面に水平方向に隙間なく存在するので、基礎Ｃを蟻返し２１まで這い上がってきたシロアリがこの蟻返し２１を突破して基礎Ｃをさらに這い上がり、家屋Ｈに侵入することが抑制される。
【００５３】
加えて、上記基礎Ｃ側の蟻返し２１の支持脚１１１側の端部と、上記支持脚１１１側の蟻返し１２２の基礎Ｃ側の端部とが、相互に連続している。
【００５４】
上記構成によれば、図６に矢印で示したように、家屋Ｈの基礎Ｃを蟻返し２１まで這い上がってきたシロアリは、基礎Ｃ側の蟻返し２１及び支持脚１１１側の蟻返し１２２を伝って基礎Ｃからデッキ構造１に移動することができるけれども、移動先の支持脚１１１にも環状の蟻返し１２２（詳しくはその本体部１２２ａ）が水平方向に隙間なく設けられているので、シロアリがこの支持脚１１１側の蟻返し１２２を突破してデッキ構造１を這い上がることが困難となる。その結果、たとえデッキ構造１が家屋Ｈに近接して配置されていても、家屋Ｈの基礎Ｃを蟻返し２１まで這い上がってきたシロアリが基礎Ｃからデッキ構造１に移動し、デッキ構造１を這い上がり、デッキ構造１から家屋Ｈに侵入することが抑制される。
【００５５】
要すれば、家屋Ｈの基礎Ｃを蟻返し２１まで這い上がってきたシロアリは、そのまま基礎Ｃを這い上がって家屋Ｈに侵入することも、またデッキ構造１に移ってデッキ構造１から家屋Ｈに侵入することも、双方とも困難となる。
【００５６】
＜第３の実施形態＞
次に、本発明の第３の実施形態を説明する。ただし、第１の実施形態と同様又は類似する部分は説明を省略し、第１の実施形態と異なる部分のみ説明する。また、第１の実施形態と同様又は類似する構成要素には同じ符号を用いる。
【００５７】
この第３の実施形態では、家屋Ｈの防蟻構造が第１の実施形態と一部異なっている。すなわち、図８に示すように、デッキ構造１と対向する家屋Ｈの基礎Ｃのデッキ構造１側の面、つまり外面に、デッキ構造１側へ張り出す蟻返し３１が設けられている。この蟻返し３１は、図９に示すように、家屋Ｈの基礎Ｃの外面に水平方向に連続して設けられている。なお、図９では、家屋Ｈの基礎Ｃは透視されている。
【００５８】
蟻返し３１は、断面形状がＬ字状であり、アルミニウム製である。蟻返し３１は、断面Ｌ字の短辺を介してビス３２により基礎Ｃの外面のモルタルＭ層に固定されている。その場合、防蟻薬剤を含有するコーキング材３３が蟻返し３１と基礎Ｃとの間に介装されている。
【００５９】
蟻返し３１は、地面Ｇから所定の高さに配置され（より詳しくは家屋Ｈの基礎Ｃの比較的上部に配置され）、断面Ｌ字の長辺がデッキ構造１側、具体的に、デッキ構造１のデッキ材２を構成する支持枠１２１の家屋Ｈに最も近接する縦フレーム１２１ａに向けて延びている。なお、本実施形態では、蟻返し３１のデッキ構造１側の端部（Ｌ字の長辺の先端）が下方に曲折されていないが、曲折されていてもよい。
【００６０】
縦フレーム１２１ａの基礎Ｃ側の面と、基礎Ｃの外面、より詳しくは、モルタルＭ層の表面との間の距離はおよそ６０ｍｍである。つまり、デッキ構造１は家屋Ｈに近接して配置されている。そして、蟻返し３１は、基礎Ｃの外面から上記縦フレーム１２１ａに向けておよそ６０ｍｍ延びている。
【００６１】
一方、上記蟻返し３１と対向するデッキ構造１側の部分は、家屋Ｈに最も近接する縦フレーム１２１ａである。縦フレーム１２１ａは基礎Ｃに沿って水平方向に延びている。その結果、符号Ｙで示すように、上記蟻返し３１の縦フレーム１２１ａ側の端部が、上記縦フレーム１２１ａの基礎Ｃ側の面に、突き合わされて接続されている。そのため、上記端部は上記基礎Ｃ側の面に連続している。
【００６２】
なお、図９に示すように、蟻返し３１は、デッキ構造１の施工範囲と略同じ範囲で水平方向に延びている。そして、蟻返し３１が家屋Ｈに最も近接する縦フレーム１２１ａの側方を通過する範囲内で連続して上記接続（蟻返し３１の縦フレーム１２１ａ側の端部と縦フレーム１２１ａの基礎Ｃ側の面との接続）Ｙが確保されている。
【００６３】
第３の実施形態の作用は次のようである。
【００６４】
上記デッキ構造１と対向する家屋Ｈの基礎Ｃのデッキ構造１側の面、つまり外面に、デッキ構造１側へ張り出す蟻返し３１が水平方向に連続して設けられている。
【００６５】
これにより、蟻返し３１が基礎Ｃの外面に水平方向に隙間なく存在するので、基礎Ｃを蟻返し３１まで這い上がってきたシロアリがこの蟻返し３１を突破して基礎Ｃをさらに這い上がり、家屋Ｈに侵入することが抑制される。
【００６６】
加えて、上記蟻返し３１の縦フレーム１２１ａ側の端部が、上記縦フレーム１２１ａの基礎Ｃ側の面に連続している。
【００６７】
上記構成によれば、図８に矢印で示したように、家屋Ｈの基礎Ｃを蟻返し３１まで這い上がってきたシロアリは、その蟻返し３１を伝って基礎Ｃからデッキ構造１に移動することができるけれども、移動先の縦フレーム１２１ａは水平方向に延び、縦フレーム１２１ａの基礎Ｃ側の面には上記基礎Ｃから延設された上記蟻返し３１（シロアリが伝ってきた蟻返し）が水平方向に隙間なく存在しているので、シロアリがこの蟻返し３１を突破してデッキ構造１を這い上がることが困難となる。その結果、たとえデッキ構造１が家屋Ｈに近接して配置されていても、家屋Ｈの基礎Ｃを蟻返し３１まで這い上がってきたシロアリが基礎Ｃからデッキ構造１に移動し、デッキ構造１を這い上がり、デッキ構造１から家屋Ｈに侵入することが抑制される。
【００６８】
要すれば、家屋Ｈの基礎Ｃを蟻返し３１まで這い上がってきたシロアリは、そのまま基礎Ｃを這い上がって家屋Ｈに侵入することも、またデッキ構造１に移ってデッキ構造１から家屋Ｈに侵入することも、双方とも困難となる。
【００６９】
＜その他の実施形態＞
第１の実施形態において、蟻返し１１とデッキ構造１との間の水平方向の間隔Ｄは２０ｍｍに限らず、２０ｍｍを超える間隔、例えば２１ｍｍや２５ｍｍ等としてもよい。
【００７０】
第２の実施形態において、基礎Ｃ側の蟻返し２１の支持脚１１１側の端部と支持脚１１１側の蟻返し１２２の基礎Ｃ側の端部とを相互にオーバーラップさせて面で接続してもよい。また、接続した部分を接合してもよい。支持脚１１１側の蟻返し１２２の本体部１２２ａの４つの長方形状の片の外方への張り出し長さは相互に同じでもよく、また異なっていてもよい。
【００７１】
第３の実施形態において、蟻返し３１の縦フレーム１２１ａ側の端部を縦フレーム１２１ａの基礎Ｃ側の面にオーバーラップさせて面で接続してもよい。また、接続した部分を接合してもよい。
【００７２】
いずれの実施形態においても、図１０に示すように（図１０は第１の実施形態を例にしているが第１の実施形態に限定されない）、家屋Ｈの基礎Ｃの外面の地盤からの立ち上がりの部分（図例では砂利Ｊからの立ち上がり部分であるが、これに代えて又はこれと共に、地面Ｇや防蟻シートＳからの立ち上がり部分でもよい）に、防蟻薬剤を含有するコーキング材１５１をコーナーを埋めるように基礎Ｃに沿って基礎Ｃの全範囲で連続して塗布することや、家屋Ｈの基礎Ｃの外面の比較的高所に、忌避性の高い防蟻部材１５２を基礎Ｃに沿って基礎Ｃの全範囲で水平方向に連続して設置することも好ましい。
【００７３】
いずれの実施形態においても、上述した防蟻薬剤として、公知のものが使用できる。例えば、ピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメイト系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−ブロモ−２，５−ジクロルフェノール（ＢＤＣＰ）等）、フェニルピロール系薬剤（クロルフェナビル等）の他、ヒバ油、ウコン、カプリン酸、ヤシ油、パーム油等が好ましく使用可能であり、これらのうちの１種を単独で又は２種以上を組み合わせて用いてもよい。
【００７４】
各実施形態で記述された種々の数値や材質や形状は一例であり、それらに限定されないことはいうまでもない。
【符号の説明】
【００７５】
１        デッキ構造
２        デッキ材
１１      第１実施形態の蟻返し
２１      第２実施形態の基礎側の蟻返し
３１      第３実施形態の蟻返し
１１１    支持脚
１１１ａ  基部
１１１ｂ  支柱部
１２１    支持枠
１２１ａ  縦フレーム（フレーム部）
１２１ｂ  横フレーム
１２２    第２実施形態の支持脚側の蟻返し
１３１    フロアパネル
１３１ａ  フロアユニット
Ｃ        家屋の基礎
Ｄ        蟻返しとデッキ構造との水平方向の間隔
Ｇ        地面
Ｈ        家屋
Ｋ        支持脚の基礎
Ｓ        防蟻シート
【図１】
2015094096.tif 000003
【図２】
2015094096.tif 000004
【図３】
2015094096.tif 000005
【図４】
2015094096.tif 000006
【図５】
2015094096.tif 000007
【図６】
2015094096.tif 000008
【図７】
2015094096.tif 000009
【図８】
2015094096.tif 000010
【図９】
2015094096.tif 000011
【図１０】
2015094096.tif 000012